(57)【要約】      （修正有）【課題】手の動作に対応したポインタ及び各種の情報を表示する表示装置の表示領域において、重要な情報の視認性を確保することができる車両用情報処理装置を提供する。【解決手段】車両の運転者の前方側に配置された表示装置２と、認識領域内の手を検出するモーションセンサー３及び検出部４と、手の動作を判定する判定部５と、判定部５で判定された動作に対応する処理を実行する処理部６と、処理の結果を表示装置２に表示させる表示部７とを備える。表示装置２の表示領域は、車両の走行状態に関する車両情報を表示する第１領域（車両情報表示領域）を備える。処理部６は、判定部５で判定された動作に対応して表示装置２の表示領域に表示されるポインタの位置を検出し、当該位置が第１領域に含まれる場合はポインタを表示不可とする。【選択図】図２
2016149094.tif 000002
【特許請求の範囲】
【請求項１】
車両の運転者の前方側に配置された表示装置と、
所定領域内の検出対象物を検出する検出部と、
前記検出部で検出された前記検出対象物の動作を判定する判定部と、
前記判定部で判定された動作に対応する処理を実行する処理部と、
前記処理部により実行された処理の結果を前記表示装置に表示させる表示部とを備え、
前記表示装置の表示領域は、車両の走行状態に関する車両情報を表示する車両情報表示領域を備え、
前記処理部は、前記判定部で判定された動作に対応して前記表示装置の表示領域に表示されるポインタの位置を検出し、当該位置が前記車両情報表示領域に含まれる場合は前記ポインタを表示不可とする
ことを特徴とする車両用情報処理装置。
【請求項２】
請求項１に記載する車両用情報処理装置において、
前記車両情報は、車両の速度を表す車速情報である
ことを特徴とする車両用情報処理装置。
【請求項３】
請求項１又は請求項２に記載する車両用情報処理装置において、
前記処理部は、前記判定部で判定された動作に対応して前記ポインタを表示可能とする
ことを特徴とする車両用情報処理装置。
【請求項４】
請求項３に記載する車両用情報処理装置において、
前記ポインタは略円形状をなし、
前記判定部は、運転者の手のサークル動作を判定すると前記ポインタを表示可能とする
ことを特徴とする車両用情報処理装置。
【発明の詳細な説明】
【技術分野】
【０００１】
本発明は、車両に設置されるヘッドアップディスプレイ（ＨＵＤ）などの表示装置に、手の動作に対応した情報を表示する車両用情報処理装置に関する。
【背景技術】
【０００２】
従来、車室内に設置される表示装置として、例えばボンネットの上方、フロントガラス、ダッシュボードの上方など、運転者の前方に、ＡＲ（ＡｕｇｕｍｅｎｔｅｄＲｅａｌｉｔｙ：拡張現実）技術を用いて種々の情報を提示するものが提案されている。
【０００３】
ＡＲ技術により、フロントガラス等には、例えば、車速を表す速度計や道案内の標識などが仮想的に表示される。このようなＡＲ技術によれば、運転者が視線を道路から車両のダッシュボードやコンソールに移すことなく、種々の有用な情報を提示することができる。
【０００４】
また、人の手の動作を検出し、その動作に基づいて車両に搭載された各機器の操作を行うことができる操作入力装置も提案されており、このような操作入力装置の表示装置として、上述したＡＲ技術が採用されている。したがって、運転者は、ＡＲ技術によりフロントガラス等に表示された操作画面を見ながら、手の動作により各機器の諸機能を呼び出すなどの操作を行える（例えば、特許文献１参照）。
【０００５】
例えば、操作入力装置は、手の動作に対応して操作画面にポインタを表示する。そして、ポインタが操作画面の各種機能を呼び出す部分に合わされたときに、クリック動作を検出したら当該機能を呼び出す。これにより、操作画面を見ながら手の動作により各種機能を実行させることができる。
【０００６】
しかしながら、画面上に表示された速度計による速度表示などは、運転に際して重要な情報であるものの、このような情報にポインタが重ねて表示され、視認性が低下するという問題がある。すなわち、従来技術においては、画面に表示された操作画面を見ながら手の動作により車両に搭載された各種機器を操作したり、車両に関する情報を閲覧することを可能としながらも、重要な情報の視認性を確保することができなかった。
【先行技術文献】
【特許文献】
【０００７】
【特許文献１】特開２０１４−１７９０９７号公報
【発明の概要】
【発明が解決しようとする課題】
【０００８】
本発明は上記事情に鑑みてなされたもので、手の動作に対応したポインタ及び各種の情報を表示する表示装置の表示領域において、重要な情報の視認性を確保することができる車両用情報処理装置を提供することを目的とする。
【課題を解決するための手段】
【０００９】
上記課題を解決する本発明の第１の態様は、車両の運転者の前方側に配置された表示装置と、所定領域内の検出対象物を検出する検出部と、前記検出部で検出された前記検出対象物の動作を判定する判定部と、前記判定部で判定された動作に対応する処理を実行する処理部と、前記処理部により実行された処理の結果を前記表示装置に表示させる表示部とを備え、前記表示装置の表示領域は、車両の走行状態に関する車両情報を表示する車両情報表示領域を備え、前記処理部は、前記判定部で判定された動作に対応して前記表示装置の表示領域に表示されるポインタの位置を検出し、当該位置が前記車両情報表示領域に含まれる場合は前記ポインタを表示不可とすることを特徴とする車両用情報処理装置にある。
【００１０】
かかる第１の態様では、運転者の前方側に設置した表示装置に各種情報を表示し、また手の動作に基づいてポインタを操作して各種機器の操作を行うことができる。このポインタは、運転に重要な車両情報には重ねて表示されない。これにより、ポインタに阻害されることなく車両情報の視認性を充分に確保することができる。すなわち、表示装置に表示された画面を見ながら手の動作により車両に搭載された各種機器を操作したり、車両に関する情報を閲覧することを可能とし、かつ、重要な車両情報の視認性を確保することができる。
【００１１】
本発明の第２の態様は、第１の態様に記載する車両用情報処理装置において、前記車両情報は、車両の速度を表す車速情報であることを特徴とする車両用情報処理装置にある。
【００１２】
かかる第２の態様では、車速がポインタに重なることがないため、運転者は車速をより確実に把握することができる。
【００１３】
本発明の第３の態様は、第１又は第２の態様に記載する車両用情報処理装置において、前記処理部は、前記判定部で判定された動作に対応して前記ポインタを表示可能とすることを特徴とする車両用情報処理装置にある。
【００１４】
かかる第３の態様では、意図せずにポインタが表示装置に表示されてしまうことを回避し、ポインタに煩わされることなく、快適に運転を行うことができる。
【００１５】
本発明の第４の態様は、第３の態様に記載する車両用情報処理装置において、前記ポインタは略円形状をなし、前記判定部は、運転者の手のサークル動作を判定すると前記ポインタを表示可能とすることを特徴とする車両用情報処理装置にある。
【００１６】
かかる第４の態様では、ポインタは略円形状をなし、運転者はそのポインタの形状（円形状）に合致した動作、すなわち、手のサークル動作を行うことで同ポインタを感覚的に瞬時に表示することが可能となる。
【発明の効果】
【００１７】
本発明によれば、手の動作に対応したポインタ及び各種の情報を表示する表示装置の表示領域において、重要な情報の視認性を確保することができる車両用情報処理装置が提供される。
【図面の簡単な説明】
【００１８】
【図１】車両用情報処理装置の外観を示す正面図及び平面図である。
【図２】車両用情報処理装置のブロック図である。
【図３】判定部で判定するフリック動作、スライド動作、ポイント動作、サークル動作及びクリック動作を示す平面図及び側面図である。
【図４】表示装置に表示された画面と手の動作を示す図である。
【図５】ポインタ表示処理とポイント動作とを示す図である。
【図６】表示装置に表示された画面を示す図である。
【図７】車両用情報処理装置の処理フローである。
【発明を実施するための形態】
【００１９】
以下、本発明を実施するための形態について説明する。なお、実施形態の説明は例示であり、本発明は以下の説明に限定されない。
【００２０】
〈実施形態１〉
図１（ａ）は車両用情報処理装置の外観を示す正面図であり、図１（ｂ）は車両用情報処理装置の外観を示す平面図（上面図）であり、図２は車両用情報処理装置のブロック図である。図面中の前方又は後方は車両の前後方向における前方又は後方であり、上方又は下方は車両の高さ方向における上方又は下方であり、左方又は右方は車両の幅方向における左方又は右方であることを意味する。以降の図面についても同様である。
【００２１】
車両用情報処理装置１は、表示装置２と、モーションセンサー３と、検出部４と、判定部５と、処理部６と、表示部７とを備えている。本実施形態では、これらの検出部４、判定部５、処理部６及び表示部７、は、車両に搭載された制御装置（ＥＣＵ）の機能として実装されている。制御装置は、例えばマイクロプロセッサやＲＯＭ、ＲＡＭ等を集積したＬＳＩデバイスや組み込み電子デバイスとして構成された装置である。上述した検出部４、判定部５、処理部６及び表示部７は、制御装置により実行されるプログラムの機能として実装されている。もちろん、検出部４、判定部５、処理部６及び表示部７は、プログラムの機能として実装されている場合に限らず、電子回路などのハードウェアにより実装されていてもよい。
【００２２】
表示部７は、後述する処理部６により実行された処理の結果を表示装置２に表示させる。例えば、表示部７は、処理部６が特定の処理を実行した結果を表す所定フォーマットの画像データや各種情報を受信する。そして表示部７は、当該画像データや各種情報が表示装置２に表示されるような画像信号を形成し、画像信号を表示装置２に送信することで、表示装置２に画像データや各種情報を表示させる。
【００２３】
表示装置２は、車両の運転者の前方に配置され、運転者の前方の視界を遮らずに、表示部７から送られた画像信号を表示する装置である。
【００２４】
表示装置２の一例としては、画像を投射機からフロントガラスに向けて投影するヘッドアップディスプレイ（ＨＵＤ）を挙げることができる。ヘッドアップディスプレイによれば、透明なフロントガラスに各種の画像が表示されるので、運転者の前方の視界を遮ることなく、画像を運転者に視認させることができる。
【００２５】
ヘッドアップディスプレイが投影する対象はフロントガラスに限定されず、例えば、別途に透明なパネルをボンネット上やダッシュボード上に配置したり、車室の天井部分から吊り下げるようにしてもよい。
【００２６】
本実施形態の表示装置２は、ダッシュボード８上に配置された透明なパネル１０に表示部７から送られた画像を投影する投射機（図示せず）を備えている。このような表示装置２によれば、運転者の前方の視界を遮らずに、後述する各種の情報を運転者の目前に表示することができる。
【００２７】
なお、表示装置２としては、液晶パネルやヘッドマウントディスプレイであってもよい。例えば、後述する処理部６が、車両の前方をカメラで撮像した画像を背景とし、後述するポインタや各種画像を重ねる画像処理を行い、その合成した画像を液晶パネルやヘッドマウントディスプレイに表示する態様であってもよい。このような態様であっても、運転者がカメラにより得られた画像を介して前方を視認することができる表示装置に該当する。
【００２８】
モーションセンサー３及び検出部４は、検出対象物を非接触で検出可能な装置である。例えば、モーションセンサー３は、赤外線を発光し、その赤外線が検出対象物で反射した反射光を撮像して画像を形成する。そして、検出部４は、モーションセンサー３で形成された画像を解析することで検出対象物を検出する。
【００２９】
本実施形態では、図１に示すように、モーションセンサー３が検出対象物の動作を認識可能な領域である認識領域２０（請求項の所定領域に対応する）において、検出対象物として人体の手の動作を認識する。なお、モーションセンサー３及び検出部４が請求項に記載の検出部に該当する。
【００３０】
例えば、検出部４は、握った状態の手、開いた状態の手、又は指さした状態の手など手の形状を検出することができる。また、水平にした状態の手、又は垂直にした状態の手など手の向きを検出することができる。その他にも、モーションセンサー３からの距離や位置も検出できるようになっている。
【００３１】
判定部５は、検出部４で検出された検出対象物の動作を判定する。本実施形態では、検出対象物である人体の手の動作として、フリック動作、スライド動作、ポイント動作、サークル動作、クリック動作、ピンチ動作を判定する。
【００３２】
図３（ａ）及び図３（ｂ）は判定部で判定するフリック動作及びスライド動作を示す平面図及び側面図である。図３（ｃ）は判定部で判定するポイント動作、サークル動作及びクリック動作を示す平面図である。
【００３３】
判定部５は、検出部４で検出された検出対象物がどの様な形状、向きであるか、また、経時的にどの様に変位するかを解析することで、人体の手５０の動きが上述した各種動作の何れに該当するかを判定する。
【００３４】
フリック動作とは、手５０を開いた状態で手首を中心として指先を回動させる動きをいう。判定部５は、図３（ａ）の円弧状の矢印に示すように、手５０をほぼ水平にした状態で指先を左方又は右方に回動させる動作や、図３（ｂ）の円弧状の矢印に示すように、手５０をほぼ水平にした状態で指先を上方又は下方に回動させる動作を検出したとき、人体の手５０がフリック動作をしていると判定する。また、特に図示しないが、判定部５は、手５０をほぼ垂直にした状態で指先を前方若しくは後方又は左方若しくは右方に回動させる動作を検出したとき、人体の手５０がフリック動作をしていると判定することもできる。
【００３５】
指先を左方に回動したフリック動作を左フリック動作と称する。同様に指先を右方、上方、下方に回動したフリック動作を右フリック動作、上フリック動作、下フリック動作と称する。
【００３６】
スライド動作とは、手５０を開いた状態で手全体を上下方向、左右方向に移動させる動きをいう。判定部５は、図３（ａ）の直線状の矢印に示すように、手５０をほぼ水平にした状態で手５０全体を左方又は右方に移動させる動作や、図３（ｂ）の直線状の矢印に示すように、手５０をほぼ水平にした状態で手５０全体を上方又は下方に移動させる動作を検出したとき、人体の手５０がスライド動作をしていると判定する。
【００３７】
手５０全体を左方に移動したスライド動作を左スライド動作と称する。同様に手５０全体を右方、上方、下方に移動したスライド動作を右スライド動作、上スライド動作、下スライド動作と称する。
【００３８】
ポイント動作とは、指の一部、例えばひとさし指を伸ばして他の指を曲げた状態で手５０全体を上下方向又は左右方向に移動させる動きをいう。判定部５は、図３（ｃ）の左右に延びた直線状の矢印に示すように、ひとさし指を伸ばした状態で手５０全体を左方又は右方に移動させる動作や、図示しないが手全体を上方又は右方に移動させる動きを検出したとき、人体の手５０がポイント動作をしていると判定する。
【００３９】
左方に移動するポイント動作を左ポイント動作と称する。同様に手５０を右方、上方、下方に移動しるポイント動作を右ポイント動作、上ポイント動作、下ポイント動作と称する。
【００４０】
サークル動作とは、指を一本伸ばした状態で、指先が円を描く動きをいう。判定部５は、図３（ｃ）の円弧状の矢印に示すように、伸ばした指で円を描く動きを検出したとき、人体の手５０がサークル動作をしていると判定する。
【００４１】
クリック動作とは、伸ばした指を前方に突き出して後方に戻す動きをいう。判定部５は、図３（ｃ）の前後に延びた直線状の矢印に示すように、伸ばした指を前方に突き出して後方に戻す動きを検出したとき、人体の手５０がクリック動作をしていると判定する。
【００４２】
ピンチ動作とは、指を二本伸ばした状態で、その二本の指先が接近又は離隔する動きをいう。判定部５は、特に図示しないが、延びた二本の指先が近接又は離隔する動きを検出したとき、人体の手５０がピンチ動作をしていると判定する。二本の指先が近接するピンチ動作をピンチイン動作、二本の指先が離隔するピンチ動作をピンチアウト動作とも称する。
【００４３】
処理部６は、判定部５で判定された各種動作に対応する処理を実行する。処理部６が実行する処理とは、表示装置２に画像の表示を開始する初期化処理や画像の表示を終了する終了処理、表示装置２に表示する画像を形成する処理、又は車両に搭載された各種機器を制御する制御処理である。
【００４４】
処理部６は、メモリなどに各種動作とそれに対応する処理とを関連づけて記憶しておき、判定部５で特定の動作が判定されたとき、当該動作に対応する処理を決定し、実行する。
【００４５】
図４を用いて、判定部５で判定された各種動作に対応する処理を実行する例を示す。図４は、表示装置に表示された画面と、手の動作を示す図である。
【００４６】
図４（ａ）に示すように、判定部５により、手が上フリック動作をしていると判定されたとき、処理部６は、表示装置２の画面をＯＮにする処理（初期化処理）を行う。これ以降、表示装置２に表示させる画像データや各種情報を表示部７に送ると、表示部７が画像信号を形成し、表示装置２に当該画像データや各種情報が表示される。
【００４７】
図４（ｂ）に示すように、判定部５により、手が左ポイント動作をしていると判定されたとき、処理部６は、表示装置２に表示されている画面を別の画面に遷移させる処理を行う。これにより、手の動作に合わせて各種情報が順次切り替えて表示されるので、直観的に次の情報を閲覧することができる。
【００４８】
処理部６は、表示部７を介して表示装置２に空調装置の温度調整を行うメニューを表示させる。そして、手の動作によりそのメニューが選択されたとする。図４（ｃ）に示すように、処理部６は、現在の設定温度（図には２５℃が例示されている）とともに、上下それぞれに向いた三角形のアイコンを表示部７を介して表示装置２に表示させる。判定部５により、手が上フリック動作をしていると判定されたとき、処理部６は、空調装置の設定温度を１℃上昇させる処理を実行する。同様に、判定部５により、手が下フリック動作をしていると判定されたとき、処理部６は、空調装置の設定温度を１℃下降させる処理を実行する。これにより、手の動作に合わせて空調温度を直観的に設定することができる。
【００４９】
図４（ｄ）に示すように、判定部５により、手がピンチイン動作をしていると判定されたとき、処理部６は、表示装置２に表示されている画面を縮小する処理を行う。また、判定部５により、手がピンチアウト動作をしていると判定されたとき、処理部６は、表示装置２に表示されている画面を拡大する処理を行う。例えば、表示装置２に周辺の地図を表示しているときに、上述したピンチイン動作又はピンチアウト動作が判定された場合、地図の拡大又は縮小を行う。これにより、手の動作に合わせて各種情報の拡大縮小表示が可能となるので、直観的に情報を見やすくすることができる。
【００５０】
処理部６が実行する処理のうち、ポインタ表示処理について説明する。図５は、ポインタ表示処理とポイント動作とを示す図である。ポインタとは、表示装置２に表示された各種機能を呼び出すメニューなどを選択するための図形である。本実施形態のポインタは点状、より詳しくは略円形状の図形である。
【００５１】
図５（ａ）に示すように、ポインタ表示処理の一つとして、ポインタの表示処理を行う。具体的には、判定部５により手５０がサークル動作をしたと判定されたとき、処理部６はポインタ３０を非表示状態から表示状態とし、表示部７を介して表示装置２に表示させる。このとき、ポインタ３０は略円形状をなし、運転者はそのポインタ３０の形状（円形状）に合致した動作、すなわち、手のサークル動作を行うことで同ポインタ３０を感覚的にスムーズに表示することが可能となる。
【００５２】
図５（ｂ）に示すように、ポインタ表示処理の一つとして、手のポイント動作に対応して表示位置を計算し、その表示位置にポインタ３０が表示されるように表示部７に命令する処理を行う。具体的には、判定部５により手５０がポイント動作をしたと判定されたとき、処理部６はポイント動作の方向に合わせて移動させた新たな位置に、表示部７を介して表示装置２にポインタ３０を表示させる。
【００５３】
図５（ｃ）に示すように、ポインタ表示処理の一つとして、選択処理を実行する。選択処理とは、ポインタが重なっているメニューや各種情報に応じた処理を行うことをいう。例えば、ポインタがメニューに重なっているときにクリック動作が行われると、処理部６は、そのメニューにある各種機能、例えば空調装置の温度設定機能を呼び出す処理を行う。他にもポインタが各種情報に重なっているときにクリック動作が行われると、処理部６は、各種情報を消去したり、拡大したり、別の情報を表示させたりなど、各種の処理を実行する。
【００５４】
上述したように、判定部５により手の動きから各種の動作が判定され、処理部６により当該動作に対応した各種の処理が実行される。これにより、運転者は、前方に配置された表示装置２を見ながら、ハンドル近傍で手の動作を行うことで、車両に搭載された各種機器を操作することができる。したがって、運転姿勢を崩すことなく安全に各種機器の操作を行うことができる。
【００５５】
ここで、処理部６によるポインタ表示処理について詳細に説明する。図６は、表示装置２に表示された画面を示す図である。
【００５６】
表示装置２の各種情報を表示する領域を表示領域４０とする。この表示領域４０は、車両情報を表示する第１領域４１（車両情報表示領域）と、車両情報以外の情報を表示する第２領域４２とを備えている。本実施形態では、表示領域４０のうち下側の矩形状の部分を第１領域４１とし、上側の矩形状の部分を第２領域４２としてある。
【００５７】
車両情報とは、車両の走行状態に関する情報であり、例えば、車速、エンジンの回転数、燃料やバッテリの残存量、車両に関する関連法規で規定された、運転者に提示しなければならない情報などである。
【００５８】
本実施形態では、処理部６は、実際の車速を取得し、車両情報としてその車速を表す車速計画像４３（車速情報の一例である）を形成する。この車速計画像４３が表示部７により画像信号に変換されて表示装置２の第１領域４１に表示される。同様に、処理部６は、実際のエンジンの回転数を取得し、車両情報としてその回転数を表す回転数計画像４４を形成する。また、処理部６は、実際の燃料の残存量を取得し、車両情報としてその残存量を表す燃料計画像４５を形成する。これらの回転数計画像４４及び燃料計画像４５も表示部７により画像信号に変換されて表示装置２の第１領域４１に表示される。
【００５９】
第２領域４２には、車両情報以外の任意の情報が表示される。例えば、上述したような各種機能を呼び出すメニューなどが表示される。
【００６０】
本発明では、第１領域４１及び第２領域４２に領域分けされた表示領域４０にポインタ３０を表示する際には、第１領域４１にはポインタを表示しないようにする。
【００６１】
具体的には、判定部５により、手の動きがポイント動作であると判定されたとき、処理部６は、ポインタの位置を計算する。ポインタの位置が第２領域４２に含まれているならば、表示装置２にその位置にポインタを表示させる。一方、処理部６は、ポインタの位置が第１領域４１に含まれるならば、ポインタを表示不可とし、表示装置２にポインタ３０を表示させない処理を行う。
【００６２】
例えば、図６には、第２領域４２の中央近傍にポインタ３０ａが表示されている。このとき、判定部５により手の動きが下ポイント動作であると判定されたとき、処理部６は、ポインタ３０を表示すべき位置が第２領域４２内であるならば、第２領域４２の下部に移動したポインタ３０ｂを表示させる。
【００６３】
さらに、判定部５により、下ポイント動作が続いて判定されたとき、処理部６は、ポインタ３０を表示すべき位置が第１領域４１内であることを検出する。このとき、処理部６は、ポインタを第１領域４１内に表示させない。
【００６４】
上述したように、第１領域４１内には、運転に際して重要な車両情報が表示されるが、ポインタ３０は非表示となる。したがって、車両情報にポインタ３０が重なって表示されることがないので、車両情報の視認性をポインタ３０に阻害されることなく充分に確保することができる。
【００６５】
図７を用いて、車両用情報処理装置１の処理フローを説明する。図７は、車両用情報処理装置１の処理フローである。
【００６６】
まず、運転者が認識領域２０において、所望の動作が認識されるように手を動かす。モーションセンサー３及び検出部４が手の動きの検出を実行する（ステップＳ１）。次に、判定部５が、手の動きが所定の動作であるかを判定する（ステップＳ２）。上述したようなフリック動作やスライド動作など、所定の動作が判定されたとき、処理部６は、所定の動作に対応した処理を実行する（ステップＳ３）。例えば、図４に示したような各種動作に対応した処理を実行する。
【００６７】
手の動作がポイント動作でないとき（ステップＳ４；Ｎｏ）、例えば、上述したようなフリック動作やスライド動作であれば、その動作に対応した処理を実行した結果を、表示部７を介して表示装置２に表示させる（ステップＳ５）。
【００６８】
一方、手の動作がポイント動作であるとき（ステップＳ４；Ｙｅｓ）、処理部６は、手の動作に応じたポインタの位置を計算する。そして、処理部６は、ポインタの位置が第１領域４１内であるかを判定する（ステップＳ６）。ポインタの位置が第１領域４１内である場合（ステップＳ６；Ｙｅｓ）、処理部６はポインタを非表示とする（ステップＳ７）。ポインタの位置が第１領域４１内でない場合（ステップＳ６；Ｎｏ）、処理部６はポインタを表示し（ステップＳ８）、表示部７を介して表示装置２にポインタを表示させる（ステップＳ５）。そして、このような一連の処理を所定周期で繰り返す。
【００６９】
以上に説明したように、本実施形態に係る車両用情報処理装置１は、運転者の前方に設置した表示装置２に各種情報を表示し、また手の動作に基づいてポインタ３０を操作して各種機器の操作を行うことができる。このポインタ３０は、表示装置２に表示された車速計画像４３など、運転に重要な車両情報には重ねて表示されない。これにより、ポインタ３０に阻害されることなく車両情報の視認性を確保することができる。
【００７０】
このように、本実施形態に係る車両用情報処理装置１によれば、表示装置２に表示された操作画面を見ながら手の動作により車両に搭載された各種機器を操作したり、車両に関する情報を閲覧することを可能とし、かつ、重要な車両情報の視認性を確保することができる。
【００７１】
特に車速情報の一例である車速計画像４３は、ポインタ３０に重なることがないように第１領域４１に表示されるので、運転者は車速をより確実に把握することができる。
【００７２】
また、ポインタ３０は、常時、表示装置２に表示させておくのではなく、サークル動作が行われたことを条件に表示させる（図５（ａ）参照）。すなわち、運転者が意図的にポインタ３０を表示させることが可能となる。これにより、各種機器を操作する意図がないにも関わらず、ポインタ３０が表示装置２（第２領域４２）に表示されてしまうことを回避し、ポインタ３０に煩わされることなく、快適に運転を行うことができる。
【００７３】
以上、本発明の一実施形態について説明したが、勿論、本発明は、上述の実施形態に限定されるものではなく、本発明の趣旨から逸脱しない範囲内で、構成の付加、省略、置換、およびその他の変更が可能である。
【００７４】
例えば、上述した実施形態に係る車両用情報処理装置１では、ポインタ表示処理、すなわち、ポインタ３０の表示・非表示、移動、選択などを実行する動作として、サークル動作、ポイント動作、クリック動作が対応していたが、このような対応関係に限定されない。任意の動作に基づいてポインタ表示処理を実行するようにしてもよい。例えば、フリック動作によりポインタ３０の移動処理を実行してもよい。
【００７５】
表示領域４０は、上下に分割された第１領域４１及び第２領域４２を備えていたが、このような配置に限定されず、例えば左右に分割されていてもよい。また、第１領域４１が一つである必要もなく、表示領域４０は複数の第１領域４１を備えていてもよい。
【００７６】
モーションセンサー３及び検出部４は、手の動作を検出することができるものであればよく、赤外線を利用したものに限定されない。また、モーションセンサー３は、ハンドル近傍で手の動きを検出できる構成であればよく、配置や向きなどについて特に限定はない。
【００７７】
ポインタの形状は略円形状に限定されることなく、例えば三角形状等の多角形状であってもよい。この場合、ポインタの表示動作としては、同ポインタの形状に沿った手の動きをすることで、運転者はポインタを感覚的にスムーズに表示することが可能となる。
【産業上の利用可能性】
【００７８】
本発明は、自動車の産業分野で利用することができる。
【符号の説明】
【００７９】
１     車両用情報処理装置
２     表示装置
３     モーションセンサー
４     検出部
５     判定部
６     処理部
７     表示部
３０   ポインタ
４０   表示領域
４１   第１領域（車両情報表示領域）
４２   第２領域
４３   車速計画像（車両情報）
４４   回転数計画像（車両情報）
４５   燃料計画像（車両情報）
【図１】
2016149094.tif 000003
【図２】
2016149094.tif 000004
【図３】
2016149094.tif 000005
【図４】
2016149094.tif 000006
【図５】
2016149094.tif 000007
【図６】
2016149094.tif 000008
【図７】
2016149094.tif 000009